(57)【要約】【課題】  安価で高効率なソーラー発電装置を提供する。【解決手段】  太陽光線に対し、複数のダイクロイックフィルター・ミラーを用い、バンドギャップ帯域毎に分光し、それぞれの周波数帯域にマッチした太陽電池パネルへ光を導き発電を行う。【選択図】図２
2013096978.tif 000002
【特許請求の範囲】
【請求項１】
入射光を１つ以上のダイクロイックフィルターと全反射ミラーで構成され、ソーラーパネル材料バンドギャップ帯域毎に分光し、それぞれの分光周波数帯域に応じたソーラーパネルへ配光する分光ユニット。
【請求項２】
請求項１記載の分光ユニットを用い、横方向に配列配置し、縦方向は偶数・奇数列に千鳥配置することで迷光なく面分光を可能とする分光装置。
【請求項３】
請求項２記載の分光装置を用い、その分光の配光先ソーラーパネルが高い光電変換効率を発揮することを特徴とするソーラー発電装置。
【請求項４】
ホーミングミラー群にて集光したＹ方向に入射角均一の反射太陽光にて、規模の大きな発電を可能とする請求項３のソーラー発電装置。
【発明の詳細な説明】
【技術分野】
【０００１】  本発明は、太陽光の面分光および高効率なソーラー発電装置に関するものである。
【背景技術】
【０００２】  太陽光発電は大きな設置面積を必要とするため少しでも高い光電変換効率が求められる。【０００３】  高い光電変換効率の実現に際し、太陽電池の損失の中で大きな割合を占めるのは透過損失と量子損失である（図１１）。【０００４】  これに対し、技術開発トレンドは「量子効果を利用する量子ドット型，化合物多接合型，複数の薄膜を使う薄膜多接合型」といった技術を用い、高い光電変換効率の太陽電池を目指している（図１２）。
共通するのは，これまで利用できていなかった幅広い波長の光を余すことなく使う点である。【０００５】  しかし、技術面・コスト面で普及時期は遠い未来になると思われる。
【発明の概要】
【発明が解決しようとする課題】
【０００６】  従来のピュア太陽電池は生産性が高く低コストであるが、透過損失（バンドギャップ以下のエネルギーの長波長光は変換できず透過する）そして量子損失（バンドギャップを超えるエネルギーの短波長光では損失を生じる）により入射光エネルギーの約５０％が無効となっていた。【０００７】  本発明は、「量子効果の利用，多接合化，新材料の採用」等の高価な素材を用いることなく入射光エネルギーを有効活用し、高い光電変換効率を実現することを課題とする。
【課題を解決するための手段】
【０００８】  本発明は、入射光を複数のダイクロイックフィルター（入射角をもつのでダイクロイックミラーでよいが反射光・透過光とも利用する為、名称ダイクロイックフィルターに統一）と全反射ミラーによりバンドギャップ帯域毎に分光し、それぞれの周波数帯域にマッチしたソーラーパネルにて発電することを特徴とする。【０００９】  本発明は、少なくとも１つ以上のダイクロイックフィルターと１つの全反射ミラーにより入射光を周波数帯域毎に傾きを変えて分光を行う。【００１０】  好ましくは上記実施形態において、分光ユニットの構成を縦横のアレイ状に配置することにより大きな「面分光」を実現する。【００１１】  上記実施形態において、面分光周波数帯域毎はバンドギャップに応じたソーラーパネルに導かれるよう傾きを決定する。
これにより入射光は分光帯域毎に最適化したバンドギャップをもつソーラーパネルで発電することとなり「透過損失・量子損失」とも格段に改善され、高い電変換効率が実現可能となる。
【発明を実施するための形態】
【００１２】  さらに好ましくは、上記実施形態において外部のミラー群（高さ方向同じ，水平方向に複数配置，太陽ホーミング機能有するもの）にて集光し、当高効率ソーラー発電装置にて効率的に発電を行う。
これにより、発電コストパフーマンスは非常に高いものとなる。
【実施例１】
【００１３】  以下、本発明の基本原理を実施例１をもって説明する。【００１４】  入射光に対し、最初のダイクロイックフィルター反射面１の特性（例：６００ｎｍ）より短い帯域の光は、傾き１ａに従いソーラーパネル１１に導かれる。
ソーラーパネル１１材料をたとえばＧａＩｎＰにした場合、バンドギャップ１．９５ｅＶと高く最小の量子損失において大きな電圧を発生する。
尚、紫外線域のガラス吸収損失を最小とするため、１つ目の反射面はバンドギャップ高いソーラーパネル順に対応する設計が好ましい。【００１５】  ２つ目のダイクロイックフィルター反射面２の特性（例：１１００ｎｍ）より短い帯域の光は、傾き２ａに従いソーラーパネル１２に導かれる。
ソーラーパネル１２材料をたとえば安価でもあるＳｉ結晶にした場合、バンドギャップ１１ｅＶであり、配光（例：６００〜１１００ｎｍ帯域の光）から効率よく電力を発生する。【００１６】  ３つ目の全反射ミラー反射面３は、反射面２から透過した光（例：１１００ｎｍより長い帯域の光）を傾き３ａによりソーラーパネル１３に導く。
ソーラーパネル１３材料をたとえば非常に小さなバンドギャップ０．７ｅＶをもつＩｎＧａＡｓにした場合、ソーラーパネル１３は反射面２から透過したエネルギーの低い光においても、多くは透過損失することなく電力発生に寄与する。【００１７】  尚、本発明の基本原理は、ダイクロイックフィルターから配光するエネルギー  ≧  ソーラーパネルのバンドギャップ特性とすることが肝であり、ソーラーパネル材料，ダイクロイックフィルター特性を指定するものではない。
【実施例２】
【００１８】  次に、実施例１で説明した原理を基にダイクロイックフィルター４など、光学素子のサイズ的制約を回避し、実用的な発電規模にした実施例を図３，４を用い説明する。【００１９】  分光ユニット６をＺ方向に配列し、分光ユニットアレイ７を構成する。さらに分光ユニットアレイ７を縦に並べ、より大きな面分光を実現する。
この時そのまま縦に並べると、図８の迷光１０４が生じ効率が悪化する。
効率悪化を防ぐため、分光ユニットアレイ奇数列７ａと分光ユニットアレイ偶数列７ｂに分け、分光に迷光１０４が発生しないよう縦に千鳥配置する。【００２０】  上記、分光ユニットアレイ奇数列７ａおよび分光ユニットアレイ偶数列７ｂの反射面は、個々に目的に合った傾きに調整する。
（傾き１ａ）により、分光１０１（短波長）を図５複合ソーラーストリング１０のソーラーパネル１１へ重なり無く、もしくは均等に配光する。
（傾き２ａ）により、分光１０２（中間波長）を図６複合ソーラーストリング１０のソーラーパネル１２へ重なり無く、もしくは均等に配光する。
（傾き３ａ）により、分光１０３（長波長）を図７複合ソーラーストリング１０のソーラーパネル１３へ重なり無く、もしくは均等に配光する。
以上により、ダイクロイックフィルター４の物理的サイズにとらわれることなく規模の大きい高効率ソーラー発電装置８を実現する。
【実施例３】
【００２１】  次に、本発明の規模を大きくした実施例を図９，１０に基き説明する。【００２２】  上記、高効率ソーラー発電装置８に対し、光軸同じ高さに設置するホーミングミラー群９より集光したＹ方向入射角均一の反射太陽光１００ａを導く。
図１０の通り、複合ソーラーストリング１０に届く分光はＺ方向に広がるため、複合ソーラーストリング１０の幅は、分光ユニットアレイ７より大きく設計する。【００２３】  これにより単位面積辺りの発電量、および設備費辺りの発電コストを大きく改善する。
【図面の簡単な説明】
【００２４】
【図１】分光ユニットを示す模式図である
【図２】分光原理を示す模式図である
【図３】分光ユニットアレイを示す模式図である
【図４】高効率ソーラー発電装置の模式図である
【図５】複合ソーラーストリング・ソーラーパネル１１への分光を示す模式図である
【図６】複合ソーラーストリング・ソーラーパネル１２への分光を示す模式図である
【図７】複合ソーラーストリング・ソーラーパネル１３への分光を示す模式図である
【図８】分光ユニットアレイの千鳥配置の有効性を示す模式図である
【図９】高効率ソーラー発電装置にミラー集光を用いた実施形態の模式図である
【図１０】高効率ソーラー発電装置にミラー集光を用いた上面からの模式図である
【図１１】ソーラーパネルの阻害要因を表す図である
【図１２】エアマスＡＭ１．５と、材料固有のバンドギャップを表す図である
【図１３】将来の高効率ソーラーパネルを表す図である
【図１４】ダイクロイックミラーの特性例である
【符号の説明】
【００２５】１        反射面（例：６００ｎｍ）
１ａ      傾き
２        反射面（例：１１００ｎｍ）
２ａ      傾き
３        反射面（全波長反射）
３ａ      傾き
４        ダイクロイックフィルター
５        全反射ミラー
６        分光ユニット
７        分光ユニットアレイ
７ａ      分光ユニットアレイ（奇数列）
７ｂ      分光ユニットアレイ（偶数列）
８        高効率ソーラー発電装置
９        ホーミングミラー群
１０      複合ソーラーストリング
１１      ソーラーパネル（バンドギャップ大）
１２      ソーラーパネル（バンドギャップ中）
１３      ソーラーパネル（バンドギャップ小）
１００    太陽光
１００ａ  反射太陽光
１０１    分光（短波長）
１０２    分光（中間波長）
１０３    分光（長波長）
【図１】
2013096978.tif 000003
【図２】
2013096978.tif 000004
【図３】
2013096978.tif 000005
【図４】
2013096978.tif 000006
【図５】
2013096978.tif 000007
【図６】
2013096978.tif 000008
【図７】
2013096978.tif 000009
【図８】
2013096978.tif 000010
【図９】
2013096978.tif 000011
【図１０】
2013096978.tif 000012
【図１１】
2013096978.tif 000013
【図１２】
2013096978.tif 000014
【図１３】
2013096978.tif 000015
【図１４】
2013096978.tif 000016